(57)【要約】【課題】最適なアンテナの選択決定処理を迅速かつ安定に行うことができること。【解決手段】映像信号を受信する映像信号期間と受信電界強度測定のための情報を含む強度受信期間とを有したフレーム構成の無線信号を、複数の受信用アンテナＡ１〜Ａｎを用いて選択受信する受信装置２であって、全ての受信用アンテナＡ１〜Ａｎの受信電界強度を測定した結果から比較的高い受信電界強度をもつアンテナの群に関する情報をアンテナ群情報としてテーブルＴＢ１に登録し、その後テーブルＴＢ１に登録されたアンテナ群情報に対応するアンテナ群に対して受信電界強度を測定した結果から最も高い受信電界強度を有する受信用アンテナＡ１〜Ａｎを、映像受信アンテナとして選択する。【選択図】        図２
2005277739.tif 000002
【特許請求の範囲】
【請求項１】
少なくとも情報本体を含む情報本体部と受信電界強度測定のための情報を含む付加部とを有したフレーム構成の無線信号を、複数のアンテナを用いて選択受信する受信装置において、
前記複数のアンテナの中から比較的受信電界強度の高いアンテナの群に関する情報をアンテナ群情報として登録するテーブルと、
全ての前記アンテナの受信電界強度を測定した結果から比較的高い受信電界強度をもつ前記アンテナ群を前記アンテナ群情報として登録し、その後前記テーブルに登録された前記アンテナ群情報に対応するアンテナ群に対して受信電界強度を測定した結果から最も高い受信電界強度を有するアンテナを前記情報本体部を受信するアンテナとして選択する制御手段と、
を備えたことを特徴とする受信装置。
【請求項２】
前記制御手段は、所定値以上の受信電界強度を有するアンテナを前記テーブルに登録することを特徴とする請求項１に記載の受信装置。
【請求項３】
前記制御手段は、受信電界強度が高い順に所定個のアンテナを前記テーブルに登録することを特徴とする請求項１に記載の受信装置。
【請求項４】
少なくとも情報本体を含む情報本体部と受信電界強度測定のための情報を含む付加部とを有したフレーム構成の無線信号を、複数のアンテナを用いて選択受信する受信装置において、
前記複数のアンテナの各配置情報をもとに該複数のアンテナを重複を許して設定された複数のアンテナ群に関する情報の各々アンテナ群情報として予め登録するテーブルと、
前記テーブルに登録されたアンテナ群情報の各々に対応する前記複数のアンテナ群に対して受信電界強度を測定した結果から比較的高い受信電界強度をもつ前記アンテナ群を決定し、その後該アンテナ群内の各アンテナに対して受信電界強度を測定した結果から最も高い受信電界強度を有するアンテナを前記情報本体部を受信するアンテナとして選択する制御手段と、
を備えたことを特徴とする受信装置。
【請求項５】
前記制御手段は、前記テーブルに保持された前記アンテナ群の情報をもとに最も高い受信電界強度をもつアンテナの選択処理を所定数繰り返した場合、再び全てのアンテナの受信電界強度を測定し、選択対象のアンテナ群を更新することを特徴とする請求項１〜４のいずれか一つに記載の受信装置。
【請求項６】
前記制御手段は、アンテナの選択処理の進行とともに前記所定数を変化させることを特徴とする請求項５に記載の受信装置。
【請求項７】
前記制御手段は、初期処理において予め決定された前記情報本体部を受信するアンテナを選択することを特徴とする請求項１〜６のいずれか一つに記載の受信装置。
【請求項８】
前記制御手段は、予め決定された前記アンテナ群内の各アンテナの受信電界強度を測定し、最も高い受信電界強度をもつアンテナの選択処理を所定数繰り返す初期処理を行うことを特徴とする請求項１〜６のいずれか一つに記載の受信装置。
【発明の詳細な説明】
【技術分野】
【０００１】
この発明は、情報本体を含む情報本体部と少なくとも受信電界強度測定のための情報を含む付加部とを有したフレーム構成の無線信号を、複数のアンテナを用いて選択受信する受信装置に関し、特に被検体内のカプセル型内視鏡から送信される無線映像信号を被検体外の複数のアンテナを用いて受信する受信装置に関するものである。
【背景技術】
【０００２】
近年、内視鏡の分野においては、飲込み型のカプセル型内視鏡が登場している。このカプセル型内視鏡には、撮像機能と無線通信機能とが設けられている。カプセル型内視鏡は、観察（検査）のために患者の口から飲込まれた後、人体から自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部の受信機内に設けられたメモリに蓄積される。患者がこの無線通信機能とメモリ機能とを備えた受信機を携帯することにより、患者は、カプセル型内視鏡を飲み込んだ後、排出されるまでの期間であっても、自由に行動できる。この後、医者もしくは看護士においては、メモリに蓄積された画像データに基づいて臓器の画像をディスプレイに表示させて診断を行うことができる。
【０００４】
一般に受信機は、カプセル型内視鏡から送信される映像信号を受信するための複数のアンテナを体外に分散配置し、映像信号の受信誤りが少ない１つのアンテナを選択切替して受信するようにしている。なお、特許文献１には、体外に配置された複数のアンテナの受信切替を行い、各アンテナが受信する電界強度をもとに、映像信号の発信源である体内のカプセル型内視鏡の位置を探知する受信機が記載されている。
【０００５】
【特許文献１】特開２００３−１９１１１号公報
【発明の開示】
【発明が解決しようとする課題】
【０００６】
ところで、従来の受信機は、複数のアンテナから１つのアンテナを選択切替する場合であって１つの受信部（チューナー）を用いる場合、プリアンブルなどの受信電界強度測定期間内に複数のアンテナの受信電界強度を高速に測定しなければならないが、たとえ高速に測定することができたとしても、これらの測定結果をもとに最適なアンテナを選択する処理に時間がかかってしまうと最終的に最適アンテナの選択決定が遅れてしまい良好な受信処理ができないという問題点があった。特に、アンテナ数が増大すればするほど、選択決定対象のアンテナが増え、選択決定処理にかかる時間は増大する。
【０００７】
この発明は、上記に鑑みてなされたものであって、最適なアンテナの選択決定処理を迅速に行うことができる受信装置を提供することを目的とする。
【課題を解決するための手段】
【０００８】
上述した課題を解決し、目的を達成するために、請求項１にかかる受信装置は、少なくとも情報本体を含む情報本体部と受信電界強度測定のための情報を含む付加部とを有したフレーム構成の無線信号を、複数のアンテナを用いて選択受信する受信装置において、前記複数のアンテナの中から比較的受信電界強度の高いアンテナの群に関する情報をアンテナ群情報として登録するテーブルと、全ての前記アンテナの受信電界強度を測定した結果から比較的高い受信電界強度をもつ前記アンテナ群を前記アンテナ群情報として登録し、その後前記テーブルに登録された前記アンテナ群情報に対応するアンテナ群に対して受信電界強度を測定した結果から最も高い受信電界強度を有するアンテナを前記情報本体部を受信するアンテナとして選択する制御手段と、を備えたことを特徴とする。
【０００９】
また、請求項２にかかる受信装置は、上記の発明において、前記制御手段は、所定値以上の受信電界強度を有するアンテナを前記テーブルに登録することを特徴とする。
【００１０】
また、請求項３にかかる受信装置は、上記の発明において、前記制御手段は、受信電界強度が高い順に所定個のアンテナを前記テーブルに登録することを特徴とする。
【００１１】
また、請求項４にかかる受信装置は、少なくとも情報本体を含む情報本体部と受信電界強度測定のための情報を含む付加部とを有したフレーム構成の無線信号を、複数のアンテナを用いて選択受信する受信装置において、前記複数のアンテナの各配置情報をもとに該複数のアンテナを重複を許して設定された複数のアンテナ群に関する情報の各々アンテナ群情報として予め登録するテーブルと、前記テーブルに登録されたアンテナ群情報の各々に対応する前記複数のアンテナ群に対して受信電界強度を測定した結果から比較的高い受信電界強度をもつ前記アンテナ群を決定し、その後該アンテナ群内の各アンテナに対して受信電界強度を測定した結果から最も高い受信電界強度を有するアンテナを前記情報本体部を受信するアンテナとして選択する制御手段と、を備えたことを特徴とする。
【００１２】
また、請求項５にかかる受信装置は、上記の発明において、前記制御手段は、前記テーブルに保持された前記アンテナ群の情報をもとに最も高い受信電界強度をもつアンテナの選択処理を所定数繰り返した場合、再び全てのアンテナの受信電界強度を測定し、選択対象のアンテナ群を更新することを特徴とする。
【００１３】
また、請求項６にかかる受信装置は、上記の発明において、前記制御手段は、アンテナの選択処理の進行とともに前記所定数を変化させることを特徴とする。
【００１４】
また、請求項７にかかる受信装置は、上記の発明において、前記制御手段は、初期処理において予め決定された前記情報本体部を受信するアンテナを選択することを特徴とする。
【００１５】
また、請求項８にかかる受信装置は、上記の発明において、前記制御手段は、予め決定された前記アンテナ群内の各アンテナの受信電界強度を測定し、最も高い受信電界強度をもつアンテナの選択処理を所定数繰り返す初期処理を行うことを特徴とする。
【発明の効果】
【００１６】
この発明にかかる受信装置では、制御手段が、全ての前記アンテナの受信電界強度を測定した結果から比較的高い受信電界強度をもつ前記アンテナ群を前記アンテナ群情報として登録し、その後前記テーブルに登録された前記アンテナ群情報に対応するアンテナ群に対して受信電界強度を測定した結果から最も高い受信電界強度を有するアンテナを前記情報本体部を受信するアンテナとして選択し、あるいはテーブルに登録されたアンテナ群情報の各々に対応する前記複数のアンテナ群に対して受信電界強度を測定した結果から比較的高い受信電界強度をもつ前記アンテナ群を決定し、その後該アンテナ群内の各アンテナに対して受信電界強度を測定した結果から最も高い受信電界強度を有するアンテナを前記情報本体部を受信するアンテナとして選択し、その後の選択処理において所定条件のもとに、このアンテナ群情報に対応するアンテナ群内のアンテナから最適なアンテナを選択するようにしているので、最適なアンテナを効率よく見つけだすことができ、最適なアンテナの選択決定処理を迅速に行うことができるという効果を奏する。
【発明を実施するための最良の形態】
【００１７】
以下、この発明を実施するための最良の形態である無線型被検体内情報取得システムについて説明する。
【００１８】
（実施の形態１）
まず、実施の形態１にかかる受信装置を備えた無線型被検体内情報取得システムについて説明する。この無線型被検体内情報取得システムは、被検体内導入装置の一例としてカプセル型内視鏡を用いている。
【００１９】
図１は、無線型被検体内情報取得システムの全体構成を示す模式図である。図１に示すように、無線型被検体内情報取得システムは、無線受信機能を有する受信装置２と、被検体１の体内に導入され、体腔内画像を撮像して受信装置２に対して映像信号などのデータ送信を無線によって行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間のデータ受け渡しを行うための携帯型記録媒体５とを備える。受信装置２は、被検体１によって着用される受信ジャケット２ａと、受信ジャケット２ａを介して受信される無線信号の処理等を行う外部装置２ｂとを備える。
【００２０】
表示装置４は、カプセル型内視鏡３によって撮像された体腔内画像を表示するためのものであり、携帯型記録媒体５によって得られるデータに基づいて画像表示を行うワークステーション等のような構成を有する。具体的には、表示装置４は、ＣＲＴディスプレイ、液晶ディスプレイ等によって直接画像を表示する構成としても良いし、プリンタ等のように、他の媒体に画像を出力する構成としても良い。
【００２１】
携帯型記録媒体５は、外部装置２ｂおよび表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終わった後には、外部装置２ｂから取り出されて表示装置４に挿着され、表示装置４によって記録したデータが読み出される構成を有する。外部装置２ｂと表示装置４との間のデータの受け渡しをコンパクトフラッシュ（登録商標）メモリ等の携帯型記録媒体５によって行うことで、外部装置２ｂと表示装置４との間が有線接続された場合よりも、被検体１が体腔内の撮影中に自由に動作することが可能となり、また、表示装置４との間のデータの受け渡し時間の短縮にも寄与している。なお、ここでは、外部装置２ｂと表示装置４との間のデータの受け渡しに携帯型記録媒体５を使用したが、必ずしもこれに限られるものではなく、外部装置２ｂに内蔵型の他の記録装置を用い、表示装置４との間のデータの受け渡しのために、双方を有線または無線接続するように構成してもよい。
【００２２】
ここで、図２を参照して、受信装置２について説明する。受信装置２は、カプセル型内視鏡３から無線送信された体腔内画像データを受信する機能も有する。図２は、受信装置２の構成を模式的に示すブロック図である。図２に示すように、受信装置２は、被検体１によって着用可能な形状を有し、受信用アンテナＡ１〜Ａｎを備えた受信ジャケット２ａと、受信された無線信号の処理等を行う外部装置２ｂとを備える。なお、受信用アンテナＡ１〜Ａｎのそれぞれは、直接被検体外表面に貼付すべく受信ジャケット２ａに備え付けられなくてもよく、また受信ジャケット２ａに着脱可能なものであってもよい。
【００２３】
外部装置２ｂは、カプセル型内視鏡３から送信された無線信号の処理を行う機能を有する。具体的には、外部装置２ｂは、図２に示すように、受信用アンテナＡ１〜Ａｎの接続切替を行う切替スイッチＳＷと、切替スイッチＳＷの後段に接続され、切替スイッチＳＷによって切替接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段にはさらにＡ／Ｄ変換部１６が接続される。制御部Ｃは、選択制御部Ｃ１を有し、信号処理回路１２、Ａ／Ｄ変換部１６、携帯型記憶媒体５に対応する記憶部１３、表示部１４および切替制御部ＳＣを接続する。切替制御部ＳＣは、強度受信アンテナ番号情報Ｎ１および映像受信アンテナ番号情報Ｎ２を有し、これらの番号情報をもとに、切替スイッチＳＷの切替指示を行うとともに、サンプルホールド回路１５，Ａ／Ｄ変換部１６および選択制御部Ｃ１の処理タイミングを指示する。電力供給部１７は、上述した各部への電力供給を行い、たとえば電池によって実現される。
【００２４】
外部装置２ｂの切替スイッチＳＷは、切替制御部ＳＣからの切替指示をもとに受信用アンテナＡ１〜Ａｎのいずれか１つを選択的に切り替え、切り替えた受信用アンテナＡ１〜Ａｎからの無線信号を受信回路１１に出力する。受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された映像データは、制御部Ｃによって記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、制御部Ｃの選択制御部Ｃ１は、後述する同期期間の強度受信期間に受信された受信電界強度の中から最も大きな受信電界強度を有する受信用アンテナを映像信号期間の受信用アンテナとして選択し、強度受信期間に受信する受信用アンテナ番号を強度受信アンテナ番号情報Ｎ１とし、映像信号期間の受信用アンテナ番号を映像受信アンテナ番号情報Ｎ２とする信号Ｓ４として切替制御部ＳＣに出力する。ここで、制御部Ｃは、テーブルＴＢ１を有し、選択制御部Ｃ１は、このテーブルＴＢ１に登録されたアンテナ群情報に対応したアンテナ群を強度受信アンテナとして受信電界強度を測定させる。切替制御部ＳＣは、選択制御部Ｃ１に指示された強度受信アンテナ番号情報Ｎ１と映像受信アンテナ番号情報Ｎ２とを保持し、強度受信期間には強度受信アンテナ番号情報Ｎ１に対応する受信用アンテナＡ１〜Ａｎを選択接続するように切替スイッチＳＷに指示し、映像受信期間には映像受信アンテナ番号情報Ｎ２に対応する受信用アンテナＡ１〜Ａｎを選択接続するように切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。なお、切替スイッチＳＷは、外部装置２ｂ内に設けられているが、外部装置２ｂの外部に設ける構成としてもよい。これは、切替スイッチＳＷがアンテナＡ１〜Ａｎをまとめる機能も有し、アンテナＡ１〜Ａｎの給電線調整も容易になるからである。
【００２５】
ここで、図３および図４を参照して、サンプルホールド回路１５および切替スイッチＳＷの詳細構成について説明する。まず、図３において、サンプルホールド回路１５は、サンプルホールドパルスを発生するパルス発生器１５ａ、強度受信期間の受信電界強度をサンプルホールドする強度受信サンプルホールド回路１５ｂ、および映像受信期間の受信電界強度をサンプルホールドする映像受信サンプルホールド回路１５ｃを有する。
【００２６】
パルス発生器１５ａは、切替制御部ＳＣから入力される信号Ｓ３ａをもとに、強度受信サンプルホールド回路１５ｂによるサンプルホールドのタイミングおよび期間を指示するパルスSH_KYODOおよびパルスSH_EIZOを生成する。パルスSH_KYODOおよびパルスSH_EIZOは、それぞれ強度受信サンプルホールド回路１５ｂのスイッチＳＷ１および映像受信サンプルホールド回路１５ｃのスイッチＳＷ２に出力される。
【００２７】
強度受信サンプルホールド回路１５ｂは、受信回路１１から入力される受信強度信号Ｓ２をアンプＡｍｐ１によってバッファリングする。一方、スイッチＳＷ１は、パルスSH_KYODOが示すタイミングから示された期間、オン状態になり、アンプＡｍｐ１によってバッファリングされた信号は、コンデンサＣ１に電荷として蓄積され、オフ状態になることによって、この蓄積された電荷がアンプＡｍｐ２によってバッファリングされ、強度受信期間の受信電界強度を示す信号KYODO_LVLとしてＡ／Ｄ変換部１６に出力される。
【００２８】
一方、映像受信サンプルホールド回路１５ｃは、アンプＡｍｐ１によってバッファリングされた信号が強度受信サンプルホールド回路１５ｂから入力される。スイッチＳＷ２は、パルスSH_EIZOが示すタイミングから示された期間、オン状態になり、アンプＡｍｐ１によってバッファリングされた信号は、コンデンサＣ２に電荷として蓄積され、オフ状態になることによって、この蓄積された電荷がアンプＡｍｐ３によってバッファリングされ、映像信号期間の受信電界強度を示す信号EIZO_LVLとしてＡ／Ｄ変換部１６に出力される。
【００２９】
つぎに、切替スイッチＳＷの詳細構成について説明する。図４において、この切替スイッチＳＷは、切替制御部ＳＣから入力される３ビットの信号Ｓ５を８ビットの信号Ｓ５１にデコードするデコーダＤ１と、受信用アンテナＡ１〜Ａ４に接続され、いずれか一つを選択するスイッチＳＷ１１と、受信用アンテナＡ５〜Ａ８に接続され、いずれか一つを選択するスイッチＳＷ１２と、スイッチＳＷ１１，ＳＷ１２に接続され、スイッチＳＷ１１，ＳＷ１２からそれぞれ出力された信号Ｓａ，Ｓｂのいずれ一方を選択して出力するスイッチＳＷ１３と、デコーダに入力される最上位ビットをもとにスイッチＳＷ１３の排他論理を確実にする反転回路Ｉ１とを有する。
【００３０】
信号Ｓ５は、８つの受信用アンテナＡ１〜Ａ８のいずれかを選択する３ビットの信号としてデコーダＤ１に入力される。この３ビットの信号Ｓ５は、信号ANT_SELECT[0]、 信号ANT_SELECT[1]、 信号ANT_SELECT[2]であり、最上位ビットを示す信号は、信号ANT_SELECT[2]である。デコーダＤ１は、３ビットの信号Ｓ５を８ビットの信号Ｓ５１にデコードし、下位番号の受信用アンテナＡ１〜Ａ４をスイッチングするスイッチＳＷ１１に、下位の４ビットの信号Ｓ５１ａを出力し、上位番号の受信用アンテナＡ５〜Ａ８をスイッチングするスイッチＳＷ１２に、上位の４ビットの信号Ｓ５１ｂを出力する。スイッチＳＷ１１，ＳＷ１２は、それぞれ信号Ｓ５１ａ，Ｓ５１ｂにしたがって受信用アンテナＡ１〜Ａ８のいずれかを選択する。スイッチＳＷ１３は、スイッチＳＷ１１，ＳＷ１２から出力された信号Ｓａ，Ｓｂのいずれかを最上位ビットの信号ANT_SELECT[2]をもとに選択する。ここで、スイッチＳＷ１１がいずれか１つの受信用アンテナＡ１〜Ａ４を選択した場合、スイッチＳＷ１２は受信用アンテナＡ５〜Ａ８を選択していないことになるが、選択の正確性を増すために、反転回路Ｉ１による最上位ビットの信号ANT_SELECT[2]の反転信号を入力し、排他処理を行っている。このスイッチＳＷ１３によって最終的に選択された受信用アンテナＡ１〜Ａ８の信号は受信回路１１に出力される。なお、ここでは、受信用アンテナＡ１〜Ａｎを８つの受信用アンテナＡ１〜Ａ８として説明した。また、各受信用アンテナＡ１〜Ａ８のアンテナ番号は、各受信用アンテナに固有の識別情報であり、情報処理上、「１」〜「８」を「０」〜「７」としている。
【００３１】
ここで、図５を参照して上述した強度受信期間と映像受信期間、すなわち無線信号のフレーム構成について説明するとともに、受信用アンテナＡ１〜Ａｎの選択切替処理の概要について説明する。ここで、各フレームのフレーム周期は５００ｍｓ程度である。各フレームは、図５に示すように送られ、各フレーム間に無信号状態が存在する場合もあるし、各フレームが連続して送られる場合もある。フレーム送信のフレーム周期ＴＴは、カプセル型内視鏡３のバッテリーの有効利用を考え、注目すべき撮像領域や、カプセル型内視鏡３の移動が速い領域においては短くし、フレーム周期ＴＴの長短は柔軟に調整される。
【００３２】
図５に示すように、ｎ番目のフレーム（ｎ）の同期期間ＴＳは、同期信号を用いて受信電界強度が最も高い受信用アンテナを選択するための強度受信期間ＴＳ１と映像信号の同期期間ＴＳ２とを有し、これら強度受信期間ＴＳ１と同期期間ＴＳ２との間でアンテナ切替が実行される。図５では、強度受信期間ＴＳ１において同期信号を用いて２つの受信用アンテナを切り替え、それぞれ切り替えられた状態に対応したタイミングｔ１，ｔ２で各受信用アンテナの受信電界強度をサンプルホールドして測定している。その後、同期期間ＴＳ内のタイミングｔｃで、映像信号を受信する受信用アンテナに切り替えられる。この切り替えられた状態の同期期間ＴＳ２において、受信回路１１は、強度受信期間ＴＳ１に対応する同期期間に引き続いて同期処理を行う。その後、映像信号期間ＴＭにおいて２９４ラインの映像信号を受信する。この同期期間ＴＳ２および映像信号期間ＴＭ内において、たとえばタイミングｔｔ１において映像受信アンテナの受信電界強度が測定される。なお、このタイミングｔ１，ｔ２，ｔｔ１，ｔｔａにおけるピークホールドパルスは、パルス発生器１５ａによって生成される。
【００３３】
ここで、選択制御部Ｃ１は、強度受信期間ＴＳ１に受信された受信電界強度の中から最も大きな受信電界強度を有する受信用アンテナを映像信号期間の受信用アンテナとして選択するとしたが、これに限らず、同期期間ＴＳ１内に受信した受信用アンテナの受信電界強度に加えて映像受信アンテナの受信電界強度も含めて、最も大きい受信電界強度をもつ受信用アンテナを映像受信アンテナとして選択するようにしてもよい。
【００３４】
つぎに、図６に示すフローチャートを参照して、選択制御部Ｃ１による映像受信アンテナの選択処理について説明する。図６において、まず選択制御部Ｃ１は、繰り返し処理数をカウントする変数Ｎを初期値「０」に設定する（ステップＳ１０１）。さらに、全受信用アンテナＡ１〜Ａｎの受信電界強度を測定する（ステップＳ１０２）。この測定結果から、受信電界強度が高い３つの受信用アンテナを決定し（ステップＳ１０３）、３つの受信用アンテナを示す情報をテーブルＴＢ１に登録する（ステップＳ１０４）。
【００３５】
その後、受信電界強度が最大の受信用アンテナを映像受信アンテナとして選択する（ステップＳ１０５）。さらに、上述した変数Ｎが所定数以上となったか否かを判断する（ステップＳ１０６）。変数Ｎが所定数以上である場合（ステップＳ１０６，ＹＥＳ）、ステップＳ１０１に移行し、変数Ｎを初期値「０」に戻し、上述した処理を繰り返す。一方、変数Ｎが所定数以上でない場合（ステップＳ１０６，ＮＯ）には、変数Ｎの値をインクリメントし（ステップＳ１０７）、テーブルＴＢ１に登録された各受信用アンテナの受信電界強度を測定し（ステップＳ１０８）、ステップＳ１０５に移行し、この測定した受信電界強度が最大の受信用アンテナを映像受信アンテナとして選択し、上述した処理を繰り返す。
【００３６】
たとえば、図７に示すような受信用アンテナＡ１〜Ａ８が配置された場合、受信用アンテナＡ２，Ａ３，Ａ４の３つの受信用アンテナの受信電界強度が比較的高かった場合、この３つの受信用アンテナＡ２〜Ａ４に関する情報がテーブルＴＢ１に、比較的受信電界強度が高かった受信用アンテナの集合であるアンテナ群に関するアンテナ群情報として登録される。その後、選択制御部Ｃ１は、このテーブルＴＢ１に登録されているアンテナ群情報に対応した各受信用アンテナＡ２〜Ａ４に対する受信電界強度を測定し、最も高い受信電界強度を有する受信用アンテナが映像受信アンテナとして選択される。
【００３７】
なお、図６に示したアンテナ選択処理では、受信電界強度が高い３つの受信用アンテナに関する情報がテーブルＴＢ１に登録されるが、これに限らず、２つあるいは４つ以上であってもよい。また、登録される個数を固定せずに、所定の受信電界強度を超える受信用アンテナに関する情報を全てテーブルＴＢ１にアンテナ群として登録してもよい。さらに、受信電界強度は一回のピーク値だけでなく、複数回測定する場合にはその平均値などを用いて受信電界強度の大きさを判断するようにしてもよい。
【００３８】
このようなアンテナ選択処理によって、受信電界強度の測定対象の受信用アンテナ数が限定されるため、無駄な受信電界強度測定が少なくなり、映像受信アンテナの候補として確度の高い受信用アンテナに対して受信電界強度を効率的に行えるようにしているので、最大の受信電界強度を有する受信用アンテナを迅速に見つけだすことができる。さらに、変数Ｎ回以上のアンテナ選択処理を行った場合に再度、テーブルＴＢ１に登録されたアンテナ群情報の更新を行うようにしているので、カプセル型内視鏡３の移動に伴うアンテナ群の変更をも適切に行うことができる。この場合、カプセル型内視鏡３の移動と受信用アンテナの配置に対応した適切な変数Ｎの値を設定することが好ましい。さらに、このような変数Ｎを設定することによって、アンテナ群の変更が頻繁に生じないため、安定したアンテナ選択処理を行うことができる。
【００３９】
なお、上述した実施の形態１では、アンテナ選択処理の最初から全ての受信用アンテナＡ１〜Ａｎに対する受信電界強度を測定しているが、カプセル型内視鏡３などの場合には、導入位置が確定しているため、図８に示すように、初期処理として、受信電界強度を測定せずに、予め決定された初期受信用アンテナを映像受信アンテナとして選択するようにしてもよい（ステップＳ２００）。その後の処理（ステップＳ２０１〜Ｓ２０８）は、図６に示した処理（ステップＳ１０１〜Ｓ１０８）の処理と同じである。この初期受信用アンテナとしては、たとえば図７においては食道に近い受信用アンテナＡ１が相当する。さらに、図示はしていないが、予め設定された初期のアンテナ群を決定しておき、このアンテナ群に対するステップＳ２０５〜Ｓ２０８の処理をＮ回繰り返した後に、ステップＳ２０１に移行するようにしてもよい。また、ステップＳ２００の初期受信用アンテナを映像受信アンテナとして選択した後に、初期のアンテナ群によるアンテナ選択処理をＮ回繰り返すようにしてもよい。
【００４０】
さらに、上述した実施の形態１では、テーブルＴＢ１を更新するまでの処理回数である変数Ｎの値が一定であったが、カプセル型内視鏡３などの場合には、その移動が経路によって異なる場合がある。たとえば、食道の移動速度は速く、小腸での移動速度は遅い。このため、経路に対応して変数Ｎの値を実質的に変更できるようにすることが好ましい。すなわち、テーブルＴＢ１に登録されるアンテナ群情報の更新インターバルを可変にすることである。
【００４１】
図９は、アンテナ群の更新インターバルを可変したアンテナ選択処理の一例を示すフローチャートである。図９において、まず新たな変数Ｌの初期値を「１」に設定し（ステップＳ２９９）、さらに変数Ｍを初期値「０」に設定する（ステップＳ３００）。その後、図６に示したアンテナ選択処理（ステップＳ１０１〜Ｓ１０８）と同じ処理（ステップＳ３０１〜３０８）を行う。ただし、ステップＳ３０６では、変数Ｎが所定数と変数Ｌとの乗算値以上であるか否かを判断する。また、この変数Ｎが所定数と変数Ｌとの乗算値以上である場合（ステップＳ３０６，ＹＥＳ）、直ちにステップＳ３０１に移行せず、まず変数Ｍをインクリメントする（ステップＳ３０９）。さらに、この変数Ｍが所定数以上であるか否かを判断する（ステップＳ３１０）。ここで、所定数は、ステップＳ３０６の所定数と同じであっても、異なっていてもよい。変数Ｍが所定数以上でない場合（ステップＳ３１０，ＮＯ）には、ステップＳ３０１に移行し、新たに変数Ｎ回分のアンテナ選択処理を繰り返す。一方、変数Ｍが所定数以上である場合、変数Ｌの値を「２」に設定するとともに変数Ｍおよび変数Ｎをそれぞれ「０」に設定し（ステップＳ３１１）、ステップＳ３０２に移行する。すなわち、変数Ｎの回数を実質的に増やす処理を行う。なお、変数Ｎの回数を増やし続ける場合には、ステップＳ３１１の処理をたとえば、「Ｌ←Ｌ＋１」などにすればよい。また、変数Ｍを「Ｍ←Ｍ＋１」などに設定して変数Ｎの繰り返し処理を増大するようにしてもよい。すなわち、ステップＳ３１１において、変数Ｌおよび変数Ｍの値を、関数などを用いて可変制御すればよい。
【００４２】
（実施の形態２）
つぎに、この発明の実施の形態２について説明する。上述した実施の形態１では、その都度、テーブルＴＢ１に登録されるアンテナ群情報が変化していたが、この実施の形態２では、予めアンテナ群を決定しておき、この決定されたアンテナ群を選択するようにしている。
【００４３】
図１０は、この発明の実施の形態２にかかる受信装置の構成を示すブロック図である。図１０において、制御部Ｃ内の選択制御部Ｃ１およびテーブルＴＢ１に代えて選択制御部Ｃ２およびテーブルＴＢ２が設けられている。その他の構成は実施の形態１と同じであり、同一構成部分には同一符号を付している。
【００４４】
この実施の形態２では、図１１に示すように、受信用アンテナＡ１〜Ａ８の配置位置に対応し、重複を許した複数のアンテナ群の各々に関する固有の識別情報をアンテナ群情報として予め設定しておく。図１１では、３つのアンテナ群Ｇｒ０，Ｇｒ１，Ｇｒ２が設定されている。このアンテナ群の設定は、テーブルＴＢ２に予め登録されており、たとえば、図１２に示すようなテーブル内容として登録される。
【００４５】
ここで、図１３に示すフローチャートを参照して、選択制御部Ｃ２によるアンテナ選択処理について説明する。図１３において、まず変数Ｎを初期値「０」に設定する（ステップＳ４０１）。その後、テーブルＴＢ２に登録されたアンテナ群毎の受信電界強度測定を行う（ステップＳ４０２）。このアンテナ群毎の受信電界強度測定は、実質的には全ての受信用アンテナに対する受信電界強度測定と同じである。ただし、各アンテナ群の代表アンテナのみの受信電界強度測定であってもよい。その後、受信電界強度が最も高いアンテナ群を決定する（ステップＳ４０３）。この処理は、アンテナ群内の最大受信電界強度で決定してもよいし、平均受信電界強度で決定してもよい。
【００４６】
その後、決定されたアンテナ群内の受信用アンテナの中で、受信電界強度が最大の受信用アンテナを映像受信アンテナとして選択する（ステップＳ４０４）。その後、変数Ｎが所定数以上であるか否かを判断し（ステップＳ４０５）、所定数以上である場合に（ステップＳ４０５，ＹＥＳ）ステップＳ４０１に移行し、変数Ｎの値を初期値に戻して上述した処理を繰り返す。一方、所定数以上でない場合（ステップＳ４０５，ＮＯ）には、さらに変数Ｎをインクリメントし（ステップＳ４０６）、現アンテナ群内の受信用アンテナの受信電界強度を測定し（ステップＳ４０７）、ステップＳ４０４に移行し、受信電界強度が最大となった受信用アンテナを映像受信アンテナとして選択し、上述した処理を繰り返す。
【００４７】
この実施の形態２では、テーブルＴＢ２にアンテナ群情報が予め設定されているので、アンテナ群の選択がさらに容易になるとともに、安定したアンテナ選択処理を行うことができる。
【００４８】
なお、上述した実施の形態１に示した変形例、たとえば図８に示したように、最初の映像受信アンテナである初期受信用アンテナを予め決定しておく処理や、図９に示したように、同一アンテナ群での繰り返し処理数を可変にする処理は、この実施の形態２にも適用することができる。
【図面の簡単な説明】
【００４９】
【図１】この発明の実施の形態１にかかる受信装置を含む無線型被検体内情報取得システムの全体構成を示す模式図である。
【図２】図１に示した受信装置の構成を示すブロック図である。
【図３】図２に示したサンプルホールド回路の詳細構成を示すブロック図である。
【図４】図２に示した切替スイッチの詳細構成を示すブロック図である。
【図５】図２に示した受信装置によるアンテナ切替処理を説明するタイミングチャートである。
【図６】図２に示した選択制御部によるアンテナ選択処理手順を示すフローチャートである。
【図７】受信用アンテナ配置の一例を示す図である。
【図８】図２に示した選択制御部によるアンテナ選択処理手順の第１変形例を示すフローチャートである。
【図９】図２に示した選択制御部によるアンテナ選択処理手順の第２変形例を示すフローチャートである。
【図１０】この発明の実施の形態２にかかる受信装置の構成を示すブロック図である。
【図１１】受信用アンテナ配置とアンテナ群設定の一例を示す図である。
【図１２】図１０に示したテーブルの登録内容の一例を示す図である。
【図１３】図１０に示した選択制御部によるアンテナ選択処理手順を示すフローチャートである。
【符号の説明】
【００５０】
１    被検体
２    受信装置
２ａ  受信ジャケット
２ｂ  外部装置
３    カプセル型内視鏡
４    表示装置
５    携帯型記録媒体
１１  受信回路
１２  信号処理回路
１３  記憶部
１４  表示部
１５  サンプルホールド回路
１５ａ  パルス発生器
１５ｂ  強度受信サンプルホールド回路
１５ｃ  映像受信サンプルホールド回路
１６  Ａ／Ｄ変換部
１７  電力供給部
１８  ピークホールド回路
ＳＷ  切替スイッチ
Ｃ  制御部
Ｃ１，Ｃ２  選択制御部
ＳＣ  切替制御部
Ｄ１  デコーダ
Ｉ１  反転回路
ＳＷ  切替スイッチ
ＳＷ１１，ＳＷ１２，ＳＷ１３  スイッチ
Ｎ１  強度受信アンテナ番号情報
Ｎ２  映像受信アンテナ番号情報
Ａ１〜Ａｎ  受信用アンテナ
ＴＢ１，ＴＢ２  テーブル
【図１】
2005277739.tif 000003
【図２】
2005277739.tif 000004
【図３】
2005277739.tif 000005
【図４】
2005277739.tif 000006
【図５】
2005277739.tif 000007
【図６】
2005277739.tif 000008
【図７】
2005277739.tif 000009
【図８】
2005277739.tif 000010
【図９】
2005277739.tif 000011
【図１０】
2005277739.tif 000012
【図１１】
2005277739.tif 000013
【図１２】
2005277739.tif 000014
【図１３】
2005277739.tif 000015